(57)【要約】【課題】ビデオデータ送受信システムでのコピー制御情報処理にて、特にコピー制御情報を伝送する方法及び装置を提供する。【解決手段】圧縮コンテンツをデコーディングすることにより、圧縮前のコンテンツに復元するステップと、復元されたコンテンツにコピー制御情報を付加したパケットを生成するステップと、所定のリンクを介して生成されたパケットを伝送するステップとを含むコピー制御情報の伝送方法である。これにより、復元されたビデオデータである場合にも、無断コピーが不可能である。【選択図】図２
2006054896.tif 000002
【特許請求の範囲】
【請求項１】
（ａ）圧縮コンテンツをデコーディングすることにより、圧縮前のコンテンツに復元するステップと、
（ｂ）前記復元されたコンテンツに、前記コンテンツに対するコピーを制御する情報であるコピー制御情報を付加したパケットを生成するステップと、
（ｃ）所定のリンクを介し、前記生成されたパケットを伝送するステップとを含むことを特徴とするコピー制御情報の伝送方法。
【請求項２】
前記コピー制御情報を保存するステップをさらに含み、
前記（ｂ）ステップは、前記保存されたコピー制御情報を付加することを特徴とする請求項１に記載のコピー制御情報の伝送方法。
【請求項３】
暗号化された圧縮コンテンツを復号化することにより、暗号化前の圧縮データに復元するステップをさらに含み、
前記（ａ）ステップは、前記復元された圧縮コンテンツをデコーディングすることを特徴とする請求項１に記載のコピー制御情報の伝送方法。
【請求項４】
前記コンテンツは、ビデオデータであり、前記所定のリンクは、ＩＥＥＥ １３９４バスであることを特徴とする請求項１に記載のコピー制御情報の伝送方法。
【請求項５】
前記（ｂ）ステップは、前記ＩＥＥＥ １３９４バスを介した伝送規格に符合するＭＰＥＧ−ＴＳ形式のパケットを生成することを特徴とする請求項４に記載のコピー制御情報の伝送方法。
【請求項６】
前記（ｃ）ステップは、ＤＴＣＰによって保護された所定のリンクを介し、前記パケットを伝送することを特徴とする請求項１に記載のコピー制御情報の伝送方法。
【請求項７】
圧縮コンテンツをデコーディングすることにより、圧縮前のコンテンツに復元するデコーダと、
前記デコーダにより復元されたコンテンツに、前記コンテンツに対するコピーを制御する情報であるコピー制御情報を付加したパケットを生成するパケット生成部と、
所定のリンクを介し、前記パケット生成部で生成されたパケットを伝送する伝送部とを備えることを特徴とするコピー制御情報の伝送装置。
【請求項８】
前記コピー制御情報を保存するＣＣＩ保存部をさらに含み、
前記パケット生成部は、前記ＣＣＩ保存部に保存されたコピー制御情報を付加することを特徴とする請求項７に記載のコピー制御情報の伝送装置。
【請求項９】
圧縮コンテンツをデコーディングすることにより、圧縮前のコンテンツに復元するステップと、
前記復元されたコンテンツに、前記コンテンツに対するコピーを制御する情報であるコピー制御情報を付加したパケットを生成するステップと、
所定のリンクを介し、前記生成されたパケットを伝送するステップとを含むことを特徴とするコピー制御情報の伝送方法をコンピュータで実行させるためのプログラムを記録したコンピュータで読み込み可能な記録媒体。
【請求項１０】
（ａ）第１圧縮方式で圧縮されたコンテンツをデコーディングすることにより、圧縮前のコンテンツに復元するステップと、
（ｂ）前記第１圧縮方式より低い圧縮率を有する第２圧縮方式でエンコーディングすることにより、前記デコーダにより復元されたコンテンツを圧縮するステップと、
（ｃ）前記圧縮されたコンテンツに、前記コンテンツに対するコピーを制御する情報であるコピー制御情報を付加したパケットを生成するステップと、
（ｄ）所定のリンクを介し、前記生成されたパケットを伝送するステップとを含むことを特徴とするコピー制御情報の伝送方法。
【請求項１１】
前記コピー制御情報を保存するステップをさらに含み、
前記（ｃ）ステップは、前記保存されたコピー制御情報を付加することを特徴とする請求項１０に記載のコピー制御情報の伝送方法。
【請求項１２】
暗号化された圧縮コンテンツを復号化することにより、暗号化前の圧縮データに復元するステップをさらに含み、
前記（ａ）ステップは、前記復元された圧縮コンテンツをデコーディングすることを特徴とする請求項１０に記載のコピー制御情報の伝送方法。
【請求項１３】
前記コンテンツは、ビデオデータであり、前記所定のリンクは、ＩＥＥＥ １３９４バスであることを特徴とする請求項１０に記載のコピー制御情報の伝送方法。
【請求項１４】
前記（ｃ）ステップは、前記ＩＥＥＥ １３９４バスを介した伝送規格に符合するＭＰＥＧ−ＴＳ形式のパケットを生成することを特徴とする請求項１３に記載のコピー制御情報の伝送方法。
【請求項１５】
前記（ｄ）ステップは、ＤＴＣＰによって保護された所定のリンクを介し、前記パケットを伝送することを特徴とする請求項１０に記載のコピー制御情報の伝送方法。
【請求項１６】
第１圧縮方式で圧縮されたコンテンツをデコーディングすることにより、圧縮前のコンテンツに復元するデコーダと、
前記第１圧縮方式より低い圧縮率を有する第２圧縮方式でエンコーディングすることにより、前記デコーダにより復元されたコンテンツを圧縮するエンコーダと、
前記エンコーダにより圧縮されたコンテンツに、前記コンテンツに対するコピーを制御する情報であるコピー制御情報を付加したパケットを生成するパケット生成部と、
所定のリンクを介し、前記パケット生成部で生成されたパケットを伝送する伝送部とを備えることを特徴とするコピー制御情報の伝送装置。
【請求項１７】
前記コピー制御情報を保存するＣＣＩ保存部をさらに備え、
前記パケット生成部は、前記ＣＣＩ保存部に保存されたコピー制御情報を付加することを特徴とする請求項１６に記載のコピー制御情報の伝送装置。
【請求項１８】
第１圧縮方式で圧縮されたコンテンツをデコーディングすることにより、圧縮前のコンテンツに復元するステップと、
前記第１圧縮方式より低い圧縮率を有する第２圧縮方式でエンコーディングすることにより、前記デコーダにより復元されたコンテンツを圧縮するステップと、
前記圧縮されたコンテンツに、前記コンテンツに対するコピーを制御する情報であるコピー制御情報を付加したパケットを生成するステップと、
所定のリンクを介し、前記生成されたパケットを伝送するステップとを含むことを特徴とするコピー制御情報の伝送方法をコンピュータで実行させるためのプログラムを記録したコンピュータで読み込み可能な記録媒体。
【発明の詳細な説明】
【技術分野】
【０００１】
本発明は、ビデオデータ送受信システムに係り、さらに詳細にはビデオデータ送受信システムでのコピー制御情報処理に関する。
【背景技術】
【０００２】
一般的に、ビデオデータは、データ量が非常に大きく、圧縮された形態で伝送される。かような圧縮されたビデオデータを再生するためには、圧縮されたビデオデータを復元できるデコーダを備えていなければならないが、それは、ビデオ再生デバイスの価格上昇の要因として作用する。特に、高率に圧縮されたビデオデータを速かに復元できるデコーダの場合に高価である。
【０００３】
かかる状況で、圧縮されていなかったり、または低率に圧縮されたビデオデータを伝送できるＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）１３９４バスがＩＥＥＥにより提案された。現在、ＩＥＥＥ １３９４バスを経由し、ＳＤ（Ｓｔａｎｄａｒｄ Ｄｅｆｉｎｉｔｉｏｎ）クラスのビデオデータを損失なく伝送できる。
【０００４】
図１は、従来のビデオデータ送受信システムの構成図である。
【０００５】
図１を参照すれば、従来のビデオデータ送受信システムは、第１デバイス１１、第２デバイス１２、及びＩＥＥＥ １３９４バス１３から構成される。
【０００６】
第１デバイス１１は、受信部１１１、復号化部１１２、デコーダ１１３、及び伝送部１１４から構成される。
【０００７】
受信部１１１は、遠隔地に位置したコンテンツ提供者からデータを受信する。受信部１１１に受信されたデータは、暗号化されて、圧縮されたデータ及びコピー制御情報などを含む。すなわち、受信部１１１は、コンテンツの不法流出を防止し、コンテンツの伝送を円滑にするために暗号化されて圧縮されたデータを受信し、コンテンツの無断コピーを防止するためのコピー制御情報を受信する。コンテンツがビデオデータである場合には、一般的にＭＰＥＧ（Ｍｏｖｉｎｇ Ｐｉｃｔｕｒｅ Ｅｘｐｅｒｔｓ Ｇｒｏｕｐ）方式でコンテンツを圧縮して伝送する。
【０００８】
復号化部１１２は、受信部１１１で受信されたデータのうち、暗号化されたＭＰＥＧデータを復号化することにより、暗号花前のＭＰＥＧデータに復元する。復号化部１１２は、暗号化されたＭＰＥＧデータに適用された暗号化方式により、ＭＰＥＧデータを復号化する。
【０００９】
デコーダ１１３は、復号化部１１２により復元されたＭＰＥＧデータをデコーディングすることにより、圧縮前のビデオデータに復元する。デコーダ１１３は、ＭＰＥＧデータに適用された圧縮方式により、ＭＰＥＧデータを復号化する。
【００１０】
伝送部１１４は、ＩＥＥＥ １３９４バス１３を介してデコーダ１１３により復元されたビデオデータを伝送する。ＩＥＥＥ １３９４バス１３は、前記のように、ＳＤクラスのビデオデータを損失なく伝送できるために、伝送部１１４は、デコーダ１１３により復元されたビデオデータを、直ちにＩＥＥＥ １３９４バス１３に載せる。
【００１１】
前記のように、従来のビデオデータ送受信システムでは、いずれか１つのデバイスにより暗号化されて圧縮されたビデオデータがいったん一度復元されれば、その後復元されたビデオデータに対するコピーを制御できる手段がなかった。その結果、暗号化などを介して保護されたデータがいったん一度復元されれば、そのデータは無断でコピーできるという問題点があった。
【特許文献１】米国特許第６，１１８，８７１号明細書
【特許文献２】特開平１１−０８６４３７号公報
【発明の開示】
【発明が解決しようとする課題】
【００１２】
本発明が解決しようとする技術的課題は、暗号化されて圧縮されたビデオデータから復元されたビデオデータを無断でコピーさせない装置及び該方法を提供するところにある。また、前記の方法をコンピュータで実行させるためのプログラムを記録したコンピュータで読み込み可能な記録媒体を提供するところにある。
【課題を解決するための手段】
【００１３】
前記の技術的課題を解決するための本発明による第１のコピー制御情報の伝送方法は、圧縮コンテンツをデコーディングすることにより、圧縮前のコンテンツに復元するステップと、前記復元されたコンテンツに、前記コンテンツに対するコピーを制御する情報であるコピー制御情報を付加したパケットを生成するステップと、所定のリンクを介し、前記生成されたパケットを伝送するステップとを含む。
【００１４】
前記の技術的課題を解決するための本発明による第１のコピー制御情報の伝送装置は、圧縮コンテンツをデコーディングすることにより、圧縮前のコンテンツに復元するデコーダと、前記デコーダにより復元されたコンテンツに、前記コンテンツに対するコピーを制御する情報であるコピー制御情報を付加したパケットを生成するパケット生成部と、所定のリンクを介し、前記パケット生成部で生成されたパケットを伝送する伝送部とを含む。
【００１５】
前記の技術的課題を解決するための本発明による第２のコピー制御情報の伝送方法は、第１圧縮方式で圧縮されたコンテンツをデコーディングすることにより、圧縮前のコンテンツに復元するステップと、前記第１圧縮方式より低い圧縮率を有する第２圧縮方式でエンコーディングすることにより、前記デコーダにより復元されたコンテンツを圧縮するステップと、前記圧縮されたコンテンツに、前記コンテンツに対するコピーを制御する情報であるコピー制御情報を付加したパケットを生成するステップと、所定のリンクを介し、前記生成されたパケットを伝送するステップとを含む。
【００１６】
前記の技術的課題を解決するための本発明による第２のコピー制御情報の伝送装置は、第１圧縮方式で圧縮されたコンテンツをデコーディングすることにより、圧縮前のコンテンツに復元するデコーダと、前記第１圧縮方式より低い圧縮率を有する第２圧縮方式でエンコーディングすることにより、前記デコーダにより復元されたコンテンツを圧縮するエンコーダと、前記エンコーダにより圧縮されたコンテンツに、前記コンテンツに対するコピーを制御する情報であるコピー制御情報を付加したパケットを生成するパケット生成部と、所定のリンクを介し、前記パケット生成部で生成されたパケットを伝送する伝送部と含む。
【００１７】
前記の他の技術的課題を解決するために、本発明は、前記の第１態様のコピー制御情報の伝送方法をコンピュータで実行させるためのプログラムを記録したコンピュータで読み込み可能な記録媒体を提供する。
【００１８】
前記の他の技術的課題を解決するために、本発明は、前記の第２態様のコピー制御情報の伝送方法をコンピュータで実行させるためのプログラムを記録したコンピュータで読み込み可能な記録媒体を提供する。
【発明の効果】
【００１９】
本発明によれば、暗号化されて圧縮されたビデオデータから復元されたビデオデータにコピー制御情報を付加したパケットを伝送することにより、復元されたビデオデータである場合にも無断でコピーできず、その結果、復元されたビデオデータに対する不法流布を防止できる。特に、本発明は、次世代高速直列バス規格であるＩＥＥＥ １３９４を採択した環境で、ビデオデータに対する不法流布を防止できるという根本的な解決策としての役割を果たすものと期待される。
【発明を実施するための最良の形態】
【００２０】
以下、図面を参照して、本発明の望ましい実施形態を詳細に説明する。
【００２１】
図２は、本発明の望ましい一実施形態による第１ビデオデータ送受信システムの構成図である。
【００２２】
図２を参照すれば、本実施形態による第１のビデオデータ送受信システムは、第１デバイス２１、第２デバイス２２、及びＩＥＥＥ １３９４バス２３から構成される。第１及び第２デバイス２１，２２は、各家庭内に位置したＣＥ（Ｃｏｎｓｕｍｅｒ Ｅｌｅｃｔｒｏｎｉｃｓ）デバイスまたはＰＣ（Ｐｅｒｓｏｎａｌ Ｃｏｍｐｕｔｅｒ）になり、特に第１デバイス２１は、ＣＥデバイスのうち、セットトップボックス（ｓｅｔ−ｔｏｐ ｂｏｘ）、ＤＶＤ（Ｄｉｇｉｔａｌ Ｖｉｄｅｏ Ｄｉｓｋ）プレーヤーなどが該当し、第２デバイス２２は、ＣＥデバイスのうち、ＤＴＶ（Ｄｉｇｉｔａｌ ＴｅｌｅＶｉｓｉｏｎ）、ＰＶＲ（Ｐｅｒｓｏｎａｌ Ｖｉｄｅｏ Ｒｅｃｏｒｄｅｒ）などが該当しうる。
【００２３】
第１デバイス２１は、受信部２１１、復号化部２１２、デコーダ２１３、ＣＣＩ（Ｃｏｐｙ Ｃｏｎｔｒｏｌ Ｉｎｆｏｒｍａｔｉｏｎ）検出／保存部２１４、パケット生成部２１５、及び伝送部２１６から構成される。
【００２４】
受信部２１１は、遠隔地に位置したコンテンツ提供者からデータを受信する。コンテンツ提供者が遠隔地に位置した多数のデバイスにコンテンツを提供しようとするとき、コンテンツ提供者から使用許可を受けていないデバイスが無断でコンテンツを使用することを防止するために、コンテンツを暗号化して伝送し、コンテンツのデータ量が多い場合には、コンテンツ伝送を迅速かつ円滑にするために、コンテンツを圧縮して伝送する。コンテンツがビデオデータである場合には、一般的にＭＰＥＧ方式でコンテンツを圧縮して伝送する。
【００２５】
すなわち、受信部２１１は、前記の原因によって暗号化されて圧縮されたデータを受信する。このとき、受信部２１１は、コンテンツ提供者のコンテンツ提供方式により、インターネットのようなネットワークを介してデータを受信することもでき、衛星通信を介してデータを受信することもでき、ＤＶＤに記録されたデータを読み込むことにより、データを受信することもできる。
【００２６】
復号化部２１２は、受信部２１１に受信されたデータのうち、暗号化されたＭＰＥＧデータを復号化することにより、暗号化前のＭＰＥＧデータに復元する。復号化部２１２は、暗号化されたＭＰＥＧデータに適用された暗号化方式、例えばディフィーヘルマン（Ｄｉｆｆｉｅ−Ｈｅｌｌｍａｎ）方式によってＭＰＥＧデータを復号化する。
【００２７】
デコーダ２１３は、復号化部２１２により復元されたＭＰＥＧデータをデコーディングすることにより、圧縮前のビデオデータに復元する。デコーダ２１３は、ＭＰＥＧデータに適用された圧縮方式、例えばＭＰＥＧ２によってＭＰＥＧデータを復号化する。
【００２８】
ＣＣＩ検出／保存部２１４は、受信部２１１に受信されたデータからビデオデータに対するコピーを制御する情報であるコピー制御情報（ＣＣＩ）を検出し、検出されたコピー制御情報を保存する。コピー制御情報は、００、１０、または１１値を有する。コピー制御情報が００ならば、コピー許可（ｃｏｐｙ ｆｒｅｅ）を表し、１０ならば、コピー１回許可（ｃｏｐｙ ｏｎｅ ｇｅｎｅｒａｔｉｏｎ）を表し、１１ならば、コピー禁止（ｃｏｐｙ ｎｅｖｅｒ）を表す。ＣＣＩ検出／保存部２１４は、すでに保存されたコピー制御情報と異なる新しいコピー制御情報が検出された場合には、保存されたコピー制御情報を削除し、新しいコピー制御情報を保存する。かかる場合は、普通提供されるコンテンツの種類が変更された場合に発生する。
【００２９】
パケット生成部２１５は、デコーダ２１３により復元されたビデオデータに、ＣＣＩ検出／保存部２１４に保存されたコピー制御情報を付加したパケットを生成する。パケット生成部２１５は、ＣＣＩ検出／保存部２１４に保存されたコピー制御情報をパケットを生成しようとするたびに読み込むことにより、コピー制御情報検出の時点とパケット生成時点のタイミングを考慮することなく、受信部２１１に受信されたデータから検出されたコピー制御情報と同じコピー制御情報を含むパケットを生成できる。これは、復号化部２１２での復号化過程及びデコーダ２１３のデコーディング過程より、ＣＣＩ検出／保存部２１４での検出及び保存過程の方がはるかに簡単であるために、デコーダ２１３でのデコーディング過程が完了する前に、ＣＣＩ検出／保存部２１４での検出及び保存過程が完了するという点に着眼したものである。
【００３０】
本実施形態によれば、パケット生成部２１５で生成されたパケットを、第２デバイス２２に伝送するためのリンクとして、ＩＥＥＥ １３９４バス２３を採択した。これにより、パケット生成部２１５は、ＩＥＥＥ １３９４バス２３を介した伝送規格に符合するＭＰＥＧ−ＴＳ（Ｔｒａｎｓｐｏｒｔ Ｓｔｒｅａｍ）形式のパケットを生成する。
【００３１】
ＩＥＥＥ １３９４バス２３は、ＩＥＥＥにより提案された高速直列バスに関する規格であり、コンピュータとその周辺デバイスとを連結するバスとして使われるだけではなく、最近ではＣＥデバイスを連結するバスとしても使われている。特に、最近発表されたＩＥＥＥ １３９４規格によれば、ＩＥＥＥ １３９４バスを経由してＳＤクラスのビデオデータを損失なく伝送できる。これが、本実施形態でＩＥＥＥ １３９４バス２３を採択した理由である。
【００３２】
伝送部２１６は、ＩＥＥＥ １３９４バス２３を介してパケット生成部２１５で生成されたパケットを伝送する。また、伝送部２１６は、リンク保護部２１６１及びＩＥＥＥ １３９４インターフェース（Ｉ／Ｆ）２１６２から構成される。
【００３３】
リンク保護部２１６１は、ＤＴＣＰ（Ｄｉｇｉｔａｌ Ｔｒａｎｓｍｉｓｓｉｏｎ Ｃｏｎｔｅｎｔ Ｐｒｏｔｅｃｔｉｏｎ）によってパケット生成部１６で生成されたパケットの伝送されるリンク、すなわちＩＥＥＥ １３９４バス２３を保護する。さらに詳細に説明すれば、リンク保護部２１６１は、ＤＴＣＰによってパケット生成部１６で生成されたパケットに含まれているビデオデータを暗号化することにより、ビデオデータの不法な流出を防止する。
【００３４】
ＩＥＥＥ １３９４インターフェース２１６２は、リンク保護部２１６１により暗号化されたビデオデータを含むパケットをＩＥＥＥ １３９４バス２３に載せることにより、第２デバイス２２にパケットを伝送させる。
【００３５】
第２デバイス２２は、ＩＥＥＥ １３９４バス２３を介して第１デバイス２１からパケットを受信し、このパケットに含まれているコピー制御情報を参照し、このパケットに含まれているビデオデータに対するコピーを行う。ここで、ビデオデータに対するコピーを行うということは、第２デバイス２２に内蔵されているハードディスクなどの保存空間にビデオデータを保存することを意味する。第２デバイス２２をしてコピー制御情報によってコピーを行わしめるための具体的な具現手段としては、さまざまが可能である。例えば、コピー制御情報を、暗号化キーを生成するための１つの情報として使用し、コピー制御情報がコピー許可を示す場合には、ビデオデータに対する復号化を可能にし、コピー制御情報がコピー禁止を示す場合には、ビデオデータに対する復号化自体を不可能にすることにより、第２デバイス２２は、コピー制御情報によってコピーを行うことができる。
【００３６】
また、第２デバイス２２がビデオデータを再生できるＤＴＶのようなデバイスである場合には、パケットに含まれている暗号化されたビデオデータをＤＴＣＰによって復号化することにより、暗号化前のビデオデータに復元し、復元されたビデオデータを再生する。
【００３７】
図３は、本発明の望ましい一実施形態による第２のビデオデータ送受信システムの構成図である。
【００３８】
図３を参照すれば、本実施形態による第２のビデオデータ送受信システムは、第１デバイス３１、第２デバイス３２、及びＩＥＥＥ １３９４バス３３から構成される。第１デバイス３１及び第２デバイス３２は、各家庭内に位置したＣＥデバイスまたはＰＣになり、特に第１デバイス３１は、ＣＥデバイスのうち、セットトップボックス、ＤＶＤプレーヤーなどが該当し、第２デバイス３２は、ＣＥデバイスのうち、ＤＴＶ、ＰＶＲなどが該当する。
【００３９】
第１デバイス３１は、受信部３１１、復号化部３１２、デコーダ３１３、エンコーダ３１４、ＣＣＩ検出／保存部３１５、パケット生成部３１６、及び伝送部３１７から構成される。
【００４０】
受信部３１１は、遠隔地に位置したコンテンツ提供者からデータを受信する。コンテンツ提供者が遠隔地に位置した多数のデバイスにコンテンツを提供しようとするとき、コンテンツ提供者から使用許可を受けていないデバイスが無断でコンテンツを使用することを防止するために、コンテンツを暗号化して伝送し、コンテンツのデータ量が多い場合には、コンテンツ伝送を迅速かつ円滑にするために、コンテンツを圧縮して伝送する。コンテンツがビデオデータである場合には、一般的にＭＰＥＧ方式でコンテンツを圧縮して伝送する。
【００４１】
すなわち、受信部３１１は、前記の原因らよって暗号化されて圧縮されたデータを受信する。このとき、受信部３１１は、コンテンツ提供者のコンテンツ提供方式により、インターネットのようなネットワークを介してデータを受信することもでき、衛星通信を介してデータを受信することもでき、ＤＶＤに記録されたデータを読み込むことにより、データを受信することもできる。
【００４２】
復号化部３１２は、受信部３１１に受信されたデータのうち暗号化されたＭＰＥＧデータを復号化することにより、暗号化前のＭＰＥＧデータに復元する。復号化部３１２は、暗号化されたＭＰＥＧデータに適用された暗号化方式、例えばディフィーヘルマン方式よってＭＰＥＧデータを復号化する。
【００４３】
デコーダ３１３は、復号化部３１２により復元されたＭＰＥＧデータをデコーディングすることにより、圧縮前のビデオデータに復元する。デコーダ２１３は、ＭＰＥＧデータに適用された圧縮方式、例えばＭＰＥＧ２によってＭＰＥＧデータを復号化する。
【００４４】
エンコーダ３１４は、前記のＭＰＥＧデータに適用された圧縮方式、例えばＭＰＥＧ２よりはるかに低い圧縮率を有する圧縮方式でエンコーディングすることにより、デコーダ３１３により復元されたコンテンツをさらに圧縮する。ＭＰＥＧ２よりはるかに低い圧縮率を有する圧縮方式の代表的な例として、“Ｌｉｇｈｔ Ｃｏｄｅｃ”を挙げられる。Ｌｉｇｈｔ Ｃｏｄｅｃは、“Ｏｘｆｏｒｄ Ｓｅｍｉｃｏｎｄｕｃｔｏｒ Ｌｔｄ．”により開発され、約１０：１の圧縮率を有する。これに比べ、ＭＰＥＧ２は、約１００：１の圧縮率を有する。特に、ＭＰＥＧ２に比べ、ＬｉｇｈｔＣｏｄｅｃを具現するためにかかる部品素子は、はるかに廉価であって少なく、エンコーディング及びデコーディングにかかる時間もはるかに短い。
【００４５】
ＣＣＩ検出／保存部３１５は、受信部３１１に受信されたデータからビデオデータに対するコピーを制御する情報であるコピー制御情報を検出し、検出されたコピー制御情報を保存する。コピー制御情報は、前記と同一に、００、１０、または１１値を有する。ＣＣＩ検出／保存部３１５は、すでに保存されたコピー制御情報と異なる新しいコピー制御情報が検出された場合には、保存されたコピー制御情報を削除し、新しいコピー制御情報を保存する。かかる場合は、普通提供されるコンテンツの種類の変更された場合に発生する。
【００４６】
パケット生成部３１５は、エンコーダ３１４により圧縮されたビデオデータに、ＣＣＩ検出／保存部３１５に保存されたコピー制御情報を付加したパケットを生成する。パケット生成部３１６は、ＣＣＩ検出／保存部３１５に保存されたコピー制御情報をパケットを生成しようとするたびに読み込むことにより、コピー制御情報検出時点とパケット生成時点のタイミングを考慮せずに、受信部３１１に受信されたデータから検出されたコピー制御情報と同じコピー制御情報を含むパケットを生成できる。これは、復号化部３１２での復号化過程、デコーダ３１３のデコーディング過程、及びエンコーダ３１４でのエンコーディング過程より、ＣＣＩ検出／保存部３１５での検出及び保存過程の方がはるかに簡単なために、エンコーダ３１４でのエンコーディング過程が完了する前に、ＣＣＩ検出／保存部３１５での検出及び保存過程が完了するという点に着眼したものである。
【００４７】
本実施形態によれば、パケット生成部３１６で生成されたパケットを、第２デバイス３２に伝送するためのリンクとして、ＩＥＥＥ １３９４バス３３を採択した。これにより、パケット生成部３１６は、ＩＥＥＥ １３９４バス３３を介した伝送規格に符合するＭＰＥＧ−ＴＳ形式のパケットを生成する。
【００４８】
最近発表されたＩＥＥＥ １３９４バス規格によれば、ＩＥＥＥ １３９４バスを介してＳＤクラスのビデオデータを損失なく伝送できるが、それ以前に発表されたＩＥＥＥ １３９４バス規格によれば、ＩＥＥＥ １３９４バスを介してＳＤクラスのビデオデータを円滑に伝送できない。このときには、前記のように、“Ｌｉｇｈｔ Ｃｏｄｅｃ”などの低圧縮率の圧縮方式によってエンコーディングするエンコーダ３１４を追加することにより、ＩＥＥＥ １３９４バスを介して圧縮されたビデオデータを円滑に伝送させる。
【００４９】
伝送部３１７は、ＩＥＥＥ １３９４バス３３を介してパケット生成部３１６で生成されたパケットを伝送する。また、伝送部３１７は、リンク保護部３１７１及びＩＥＥＥ １３９４インターフェース３１７２から構成される。
【００５０】
リンク保護部３１７１は、ＤＴＣＰによってパケット生成部３１６で生成されたパケットの伝送されるリンク、すなわちＩＥＥＥ １３９４バス３３を保護する。さらに詳細に説明すれば、リンク保護部３１７１は、ＤＴＣＰによってパケット生成部３１６で生成されたパケットに含まれているビデオデータを暗号化することにより、ビデオデータの不法な流出を防止する。
【００５１】
ＩＥＥＥ １３９４インターフェース３１７２は、リンク保護部３１７１により暗号化されたビデオデータを含むパケットをＩＥＥＥ １３９４バス３３に載せることにより、第２デバイス３２にパケットを伝送させる。
【００５２】
第２デバイス３２は、ＩＥＥＥ １３９４バス３３を介して第１デバイス３１からパケットを受信し、このパケットに含まれているコピー制御情報により、このパケットに含まれているビデオデータに対するコピーを行う。ここで、ビデオデータに対するコピーを行うということは、第２デバイス３２に内蔵されているハードディスクなどの保存空間にビデオデータを保存することを意味する。第２デバイス３２をしてコピー制御情報によってコピーを行わしめるための具体的な具現手段としては、さまざまが可能である。例えば、コピー制御情報を暗号化キーを生成するための１つの情報として使用してコピー制御情報がコピー許可を表す場合には、ビデオデータに対する復号化を可能にし、コピー制御情報がコピー禁止を表す場合には、ビデオデータに対する復号化自体を不可能にすることにより、第２デバイス３２は、コピー制御情報によってコピーを行うことができる。
【００５３】
また、第２デバイス３２がビデオデータを再生できるＤＴＶのようなデバイスである場合には、パケットに含まれている暗号化されたビデオデータをＤＴＣＰによって復号化することにより、暗号化前のビデオデータに復元し、復元されたビデオデータを再生する。
【００５４】
図４は、本発明の望ましい一実施形態による第１のコピー制御情報の伝送方法のフローチャートである。
【００５５】
図４を参照すれば、本実施形態による第１のコピー制御情報の伝送方法は、次のようなステップから構成される。該第１のコピー制御情報の伝送方法は、図２に図示された第１デバイス２１で時系列的に処理されるステップから構成される。従って、以下省略された内容であっても、第１デバイス２１について以上で記述された内容は、該第１のコピー制御情報の伝送方法にも適用可能である。
【００５６】
ステップ４１で、第１デバイス２１は、遠隔地に位置したコンテンツ提供者からデータを受信する。
【００５７】
ステップ４２で、第１デバイス２１は、ステップ４１で受信されたデータのうち、暗号化されたＭＰＥＧデータを復号化することにより、暗号化前のＭＰＥＧデータに復元する。
【００５８】
ステップ４３で、第１デバイス２１は、ステップ４２で復元されたＭＰＥＧデータをデコーディングすることにより、圧縮前のビデオデータに復元する。
【００５９】
ステップ４４で、第１デバイス２１は、ステップ４１で受信されたデータからビデオデータに対するコピーを制御する情報であるコピー制御情報を検出する。
【００６０】
ステップ４５で、第１デバイス２１は、ステップ４４で検出されたコピー制御情報を保存する。
【００６１】
ステップ４６で、第１デバイス２１は、ステップ４３で復元されたビデオデータにステップ４５で保存されたコピー制御情報を付加したパケットを生成する。このとき、ＩＥＥＥ １３９４バス２３を介した伝送規格に符合するＭＰＥＧ−ＴＳ形式のパケットを生成する。
【００６２】
ステップ４７で、第１デバイス２１は、ＩＥＥＥ １３９４バス２３を介してステップ４６で生成されたＭＰＥＧ−ＴＳパケットを第２デバイス２２に伝送する。さらに詳細に説明すれば、ステップ４７で第１デバイス２１は、ＤＴＣＰによってＩＥＥＥ １３９４バス２３を保護し、保護されたＩＥＥＥ １３９４バス２３を介してステップ４６で生成されたＭＰＥＧ−ＴＳパケットを第２デバイス２２に伝送する。
【００６３】
図５は、本発明の望ましい一実施形態による第２のコピー制御情報の伝送方法のフローチャートである。
【００６４】
図５を参照すれば、本実施形態による第２コピー制御情報の伝送方法は、次のようなステップから構成される。本第２のコピー制御情報の伝送方法は図３に図示された第１デバイス３１で時系列的に処理されるステップから構成される。従って、以下省略された内容であっても、第１デバイス３１について以上で記述された内容は、本第２のコピー制御情報の伝送方法にも適用可能である。
【００６５】
ステップ５１で、第１デバイス３１は、遠隔地に位置したコンテンツ提供者からデータを受信する。
【００６６】
ステップ５２で、第１デバイス３１は、ステップ５１で受信されたデータのうち、暗号化されたＭＰＥＧデータを復号化することにより、暗号化前のＭＰＥＧデータに復元する。
【００６７】
ステップ５３で、第１デバイス３１は、ステップ５２で復元されたＭＰＥＧデータをデコーディングすることにより、圧縮前のビデオデータに復元する。
【００６８】
ステップ５４で、第１デバイス３１は、前記のＭＰＥＧデータに適用された圧縮方式、例えばＭＰＥＧ２よりはるかに低い圧縮率を有する圧縮方式でエンコーディングすることにより、ステップ５３で復元されたコンテンツをさらに圧縮する。
【００６９】
ステップ５５で、第１デバイス３１は、ステップ５１で受信されたデータからビデオデータに対するコピーを制御する情報であるコピー制御情報を検出する。
【００７０】
ステップ５６で、第１デバイス３１は、ステップ５５で検出されたコピー制御情報を保存する。
【００７１】
ステップ５７で、第１デバイス３１は、ステップ５４で圧縮されたビデオデータにステップ５６で保存されたコピー制御情報を付加したパケットを生成する。このとき、ＩＥＥＥ １３９４バス２３を介した伝送規格に符合するＭＰＥＧ−ＴＳ形式のパケットを生成する。
【００７２】
ステップ５８で、第１デバイス３１は、ＩＥＥＥ １３９４バス３３を介してステップ５７で生成されたＭＰＥＧ−ＴＳパケットを第２デバイス３２に伝送する。さらに詳細に説明すれば、ステップ５８で第１デバイス３１は、ＤＴＣＰによってＩＥＥＥ １３９４バス３３を保護し、保護されたＩＥＥＥ １３９４バス３３を介してステップ５７で生成されたＭＰＥＧ−ＴＳパケットを第２デバイス３２に伝送する。
【００７３】
一方、前述の本発明の実施形態は、コンピュータで実行できるプログラムとして作成可能であり、コンピュータで読み込み可能な記録媒体を利用し、前記プログラムを動作させる汎用デジタルコンピューターで具現可能である。
【００７４】
前記コンピュータで読み込み可能な記録媒体は、磁気記録媒体（例えば、ＲＯＭ（Ｒｅａｄ−Ｏｎｌｙ Ｍｅｍｏｒｙ）、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような保存媒体を含む。
【００７５】
これまで本発明についてその望ましい実施形態を中心に説明を行った。本発明の属する技術分野で当業者は、本発明が、本発明の本質的な特性から外れない範囲で変形された形態で具現されうるということを理解できるであろう。従って、開示された実施形態は、限定的な観点でなく、説明的な観点から考慮されねばならない。本発明の範囲は、前述の説明でなく、特許請求の範囲に示されており、それと同等な範囲内にあるあらゆる差異点は、本発明に含まれものと解釈されるものである。
【産業上の利用可能性】
【００７６】
本発明は、ビデオデータ送受信に関わる技術分野に効果的に適用可能である。
【図面の簡単な説明】
【００７７】
【図１】従来のビデオデータ送受信システムの構成図である。
【図２】本発明の望ましい一実施形態による第１のビデオデータ送受信システムの構成図である。
【図３】本発明の望ましい一実施形態による第２のビデオデータ送受信システムの構成図である。
【図４】本発明の望ましい一実施形態による第１のコピー制御情報の伝送方法のフローチャートである。
【図５】本発明の望ましい一実施形態による第２のコピー制御情報の伝送方法のフローチャートである。
【符号の説明】
【００７８】
２１    第１デバイス
２２    第２デバイス
２３    ＩＥＥＥ １３９４バス
２１１    送信部
２１２    復号化部
２１３    デコーダ
２１４    ＣＣＩ検出／保存部
２１５    パケット生成部
２１６    伝送部
２１６１    リンク保護部
２１６２    ＩＥＥＥ １３９４インターフェース
【図１】
2006054896.tif 000003
【図２】
2006054896.tif 000004
【図３】
2006054896.tif 000005
【図４】
2006054896.tif 000006
【図５】
2006054896.tif 000007